(57)【特許請求の範囲】
【請求項１】
長手方向に連続した断面T字形の細長帯であり、垂直方向の脚部を舗装道路境界に挿着することを特徴とする防草マット。
【請求項２】
上記細長帯はその材質が弾性ゴムである請求項１記載の防草マット。
【請求項３】
上記細長帯の水平面の裏側に粘着層を配したものである請求項１または２記載の防草マット。
【請求項４】
上記細長帯の水平面の表面に、滑り止め用の凸部を点在するようにしたものである請求項１，２または３記載の防草マット。
【請求項５】
上記細長帯の水平面の表面に筋状の凹溝の滑り止めを形成した請求項１，２または３記載の防草マット。
【請求項６】
上記細長帯の裏側から垂下させた脚部の先端に突起を設けたものである請求項１ないし５記載の防草マット。
【発明の詳細な説明】
【０００１】
【発明の属する技術分野】
この発明は、舗装した道路上に無用の雑草の発生防止に使用するための防草マットに関するものである。
【０００２】
【従来の技術】
従来この種の雑草の発生防止策としては、アスファルト舗装をする前に、路盤に除草剤を散布する方法や、舗装用合材層の下に防草シートを布設し、端部を縦方向に曲折し、そのシートの先端が舗装道路の表面まで達していることを特徴とするもの（実開平４−１１２９２３）等が知られている。
【０００３】
【発明が解決しようとする課題】
従来の除草剤を散布するものにあっては、その除草効果がだんだんと減少する。また、実開平４−１１２９２３号公報に記載している構造では、その付合せ部分にゴミがたまる欠点がある。そしてアスファルト舗装施工後雑草の種子が風や雨水の流れに運ばれて境界の少しの隙間に入り込む。
種子に含まれた養分や隙間内の僅かの土砂を栄養源として成長する。地表に出た芽は、太陽の光を浴び光合成の働きで根・茎・葉共に成長する。
【０００４】
成長した雑草の除去は、その隙間が狭いため抜根することもできず、表面にでたものを刈りとるか、除草剤を散布するかの方法しかない。除草剤は使い方によっては公害の心配もある。
このような方法で作業をしても雑草等の種子が絶えずその隙間に入るため、何時も路肩等の景観を阻害している。
【０００５】
除草には多大の労力と費用を繰返し、雨天の時には歩行者の足元を濡らし不快感を与える。
本発明はこれらの欠点を解消し、歩道等の維持管理費を軽減させようとするものである。
【０００６】
【課題を解決するための手段】
本発明は舗装道路において、コンクリート等どうしや、コンクリート等とアスファルト舗装との境界(４)へ、断面がＴ字形の防草マット(５)を挿着して、この境界(４)の隙間を塞ぎ雑草の種子の侵入を防ぎ、防草マット(５)の水平面(８)で太陽の光を遮断し、雨水の流入等も少なくする等雑草の生えるのを防止するものである。
【０００７】
【発明の実施の形態】
この発明にかかる防草マット(５)は、上記のように歩道(１)のアスファルト舗装と擁壁(２)や縁石(３)等、コンクリート等どおし、コンクリート等とアスファルト舗装との境界(４)に断面形状がＴ字形の細長帯(１３)の防草マット(５)を挿着する。この細長帯(１３)の裏面から垂下させた脚部(９)は境界(４)に挿入するものであり、挿着が簡単に行えて、しかも、脚部(９)を舗装道路の境界(４)に挿入するので雑草の生えるのを防止するものである。そしてこの発明の防草マット(５)は弾性ゴムを使用しているので耐久性を有するものである。防草マット(５)は断面がＴ字形に形成された細長帯(１３)でＴ字形の水平面(８)の裏側には、路面との密着を目的とした、例えば粘着剤(６)を配し、その表面は離型紙(７)（粘着材を保護するテープ）で保護しておき、作業のとき、離型紙(７)をはがしながら施工し、その後軽く転圧すれば剥離することがないものである。防草マット(５)はゴム材で構成してあるので、防滑性を有するが、防草マット(５)の表面に点在した凸部(１０)や筋状の凹溝(１１)を設けておけば滑り止めとして更に作用するものである。
また、細長帯(１３)の裏面から垂下させた脚部(９)の先端に矢印形(１２)の突起を設けておけば、境界(４)の隙間に多少の寸法誤差があっても、防草マット(５)が境界(４)に対して安定的に納まり、離脱の防止にもなる。更に、境界(４) に多少の段差があっても、弾力性でもってその段差を吸収し、つまづきを防止し、踏みつけて歩いても歩き心地を損なうことがないようになっている。
【０００８】
【実施例】
図１において、歩道(１)の両側に擁壁(２)側と縁石(３)側とに、それぞれ継目の境界(４)ができる。
この境界(４)の少しの隙間がどうしても発生し雑草の生える原因が生じる。
【０００９】
そこでこの境界(４)に防草マット(５)を挿着するものである。
防草マット(５)は、断面形状がＴ字形の細長帯(１３)で構成してあり、防草マット(５)の表面は水平面(８)をなしている。そしてその裏面の長手方向の中央部には、脚部(９)が垂下させて設けてある。この脚部(９)を舗装道路の境界(４)に挿入して道路上に挿着するようにしてある。
防草マット(５)の断面Ｔ字形の概略寸法は、水平面(８)の巾が約８０mm、厚さ約３mm、脚部(９)の長さは１５〜３０mm程度で、厚さは約３mmであり、長さ方向は細長帯(１３)で、長尺加工しておき、作業の状況に応じて２０ｍとか５０ｍ等と任意の長さに切断して施工するものである。
【００１０】
防草マット(５)を挿着するには、境界(４)をアスファルトカッター等で、約４mm程度の隙間を確保すると同時に、天端をワイヤーブラシ等で表面の細かい土砂や埃等をていねいに除いてから、防草マット(５)の離型紙(７)を、はがしながら、コンクリートとアスファルト等の隙間へ防草マット(５)を挿着し、その後軽く転圧する。この転圧をすることにより防草マット(５)が路面に粘着して剥れなくなる。
防草マット(５)の材質は弾性ゴムとし、境界(４)における多少の段差にでも順応でき、踏みつけたときも歩き心地を損なわないようにしている。
【００１１】
図３に示すように、防草マット(５)表面に凸部(１０)を点在させて設ければ雨天等濡れた場合の滑り止め効果が得られるものである。また、図４に示すとおり防草マット(５)表面に複数本の筋状の凹溝(１１)を形成しても、雨天等で濡れた場合の滑り止め効果が得られるものである。
更に図５では、防草マット(５)の境界(４)へ挿入する脚部(９)を断面が矢印形(１２)となるように形成したもので、アスファルトカッターで確保した隙間に、多少の広さ狭さがあっても弾性の弾力で安定して納まるようにし、また容易に離脱しないようにしている。
なお、(１４)はガッター、(１５)は路盤、(１６)は車道で、概略道路が構成されている。(１７)はコンクリート、(１８)はアスファルトである。
【００１２】
【発明の効果】
この発明の防草マット(５)は、断面形状がＴ字形の細長帯(１３)としたもので細長帯(１３)の裏面から垂下させた脚部(９)を舗装道路の境界(４)に挿入すれば境界(４)の隙間を防ぐことができ、雑草の種子の侵入を防ぎ、水平面(８)により太陽の光を遮断し雨水の流入等も少なくし雑草が生えるのを防止することができる。
そして、防草マット(５)の材質を弾性ゴムとすれば、境界(４)における多少の段差にも順応でき、踏みつけたときも歩き心地を損なわないものである。
また、防草マット(５)の表面に点在させた凸部(１０)を設け、あるいは、凹溝(１１)を設けておけば、雨水等濡れた場合の滑り止め効果を高めることができるものである。
更に、防草マット(５)の境界(４)へ挿入する脚部(９)の先端に矢印形(１２)の突起を設けておけば舗装道路の境界(４)に多少の広さ狭さがあっても、弾力で安定して納まり、路面からの容易な離脱を防止する。
この他、この発明の効果を箇条書きにすると以下のとおりである。
１．本発明は既設の道路にも容易に施工できる。
２．道路境界線上に雑草の生育を防止し、悪景観を解消する。
３．雑草の生育による道路のひび割れ剥離を防ぎ、舗装の傷みがなくなるので維持修繕費が節約でき経済的である。
４．除草に要する費用が節約できる。
５．雑草のはびこりで雨天時足が濡れる等、歩行者の通行が妨げられることが解消される。
【図面の簡単な説明】
【図１】防草マットを歩道の境界に実施した場合の概略説明図
【図２】コンクリートとアスファルトの境界面へ、防草マットを挿着した部分拡大図
【図３】表面に凸部を点在させた防草マットの斜視図
【図４】表面に凹溝を形成させた防草マットの斜視図
【図５】垂直方向に挿着する部分が概略矢印形の防草マットの断面図
【符号の説明】
１  歩道
２  擁壁
３  縁石
４  境界
５  防草マット
６  粘着剤
７  離型紙
８  水平面
９  脚部
10  凸部
11  凹溝
12  矢印形
13  細長帯
14  ガッター
15  路盤
16  車道
17  コンクリート
18  アスファルト
【図１】
0003826327.tif 000002
【図２】
0003826327.tif 000003
【図３】
0003826327.tif 000004
【図４】
0003826327.tif 000005
【図５】
0003826327.tif 000006